(57)【特許請求の範囲】
【請求項１】
使い捨ておむつであって、
前方部、股下部および後方部を長手方向に順に有する略シート状の本体部と、
前記後方部の両側部に取り付けられ、前記前方部の外面に止着されることにより、前記両側部を前記前方部の両側部に接続する一対の接続部と、
を備え、
前記一対の接続部のそれぞれが、前記長手方向に配列されて左右方向に伸びる２つの止着テープを備え、
前記２つの止着テープのそれぞれが、
テープ状のテープ基部と、
前記テープ基部の内面に、前記テープ基部の先端から前記本体部に向かって互いに離間して順に設けられた第１止着部、第２止着部および第３止着部と、
を備え、
前記第１止着部の前記左右方向の幅と前記第３止着部の前記左右方向の幅とが等しく、
前記第１止着部と前記第２止着部との間の領域である第１中間領域の前記左右方向の幅と前記第２止着部と前記第３止着部との間の領域である第２中間領域の前記左右方向の幅とが等しく、
前記第２止着部の前記前方部の前記外面に対する止着力が、前記第１止着部および前記第３止着部の前記前方部の前記外面に対する止着力よりも小さいことを特徴とする使い捨ておむつ。
【請求項２】
請求項１に記載の使い捨ておむつであって、
前記第２止着部の面積が、前記第１止着部および前記第３止着部の面積よりも小さいことを特徴とする使い捨ておむつ。
【請求項３】
請求項１または２に記載の使い捨ておむつであって、
前記第２止着部の前記前方部の前記外面に対する単位面積当たりの止着力が、前記第１止着部および前記第３止着部の前記前方部の前記外面に対する単位面積当たりの止着力よりも小さいことを特徴とする使い捨ておむつ。
【請求項４】
請求項１ないし３のいずれかに記載の使い捨ておむつであって、
前記第２止着部の前記左右方向の両側のエッジ近傍の部位が前記テープ基部に対して熱圧着されることにより、前記エッジ近傍の部位の前記前方部の前記外面に対する単位面積当たりの止着力が、前記エッジ近傍の部位以外の部位の前記前方部の前記外面に対する単位面積当たりの止着力よりも小さいことを特徴とする使い捨ておむつ。
【発明の詳細な説明】
【技術分野】
【０００１】
本発明は、使い捨ておむつに関する。
【背景技術】
【０００２】
従来より、着用者からの排泄物を受ける使い捨ておむつの一つとして、着用者の腹側に接する部位と背側に接する部位とを止着テープにより腰周りで止着して着用するテープタイプのものが利用されている。例えば、特許文献１では、背側部の左右両側部にてバックシートに貼着された一対のファスニングテープを、腹側部のバックシート上に設けられたランディングテープに止着する使い捨ておむつが開示されている。各ファスニングテープのテープ本体上には、複数の機械的ファスナの凸部材が左右方向に配列されており、これらの凸部材が機械的ファスナの凹部材であるランディングテープに剥離可能に止着される。
【０００３】
特許文献２の使い捨ておむつでは、後胴周り域の左右両側に設けられた一対のリアウイングにフック部材が設けられており、当該フック部材が前胴周り域の外面に設けられたループ部材に剥離可能に止着される。当該使い捨ておむつでは、フック部材は、互いに分離独立した複数のフック集合体からなる。
【０００４】
特許文献３では、吸収性物品本体の背側腰周り部の左右両側部に、それぞれ２つのテープ状ファスナが上下方向に間隔をおいて配置される使い捨て吸収性物品が開示されている。各テープ状ファスナの内面には、腹側腰周り部の外面に設けられたループファスナのループ部材と係合する１つのフック部材が設けられ、各テープ状ファスナの外面には、当該フック部材と係合可能なループ部材が設けられる。
【０００５】
特許文献３では、左右の各側部において、上側のテープ状ファスナのフック部材を腹側腰周り部のループファスナのループ部材に係合し、下側のテープ状ファスナのフック部材を上側のテープ状ファスナの外面に設けられたループ部材に係合させることにより、吸収性物品を着用者の体型に合わせて装着することが提案されている。また、左右両側部のうち一方に設けられたテープ状ファスナのフック部材をループファスナのループ部材に係合し、他方に設けられたテープ状ファスナのフック部材を上記一方のテープ状ファスナの外面に設けられたループ部材に係合させることにより、吸収性物品を着用者の体型に合わせて装着することも提案されている。
【先行技術文献】
【特許文献】
【０００６】
【特許文献１】特開平１０−２８７０３号公報
【特許文献２】特開２００４−３４４５１４号公報
【特許文献３】特開２００８−６７８３１号公報
【発明の概要】
【発明が解決しようとする課題】
【０００７】
ところで、特許文献１の使い捨ておむつでは、痩せ型の着用者に使い捨ておむつを装着する際等に、ファスニングテープをどのように腹側部に止着するかについて考慮されていない（特許文献２においても同様）。特許文献３では、着用者の体型に合わせてテープ状ファスナを重ねて止着することが提案されているが、各テープ状ファスナの外面にループ部材を設け、内面に当該ループ部材に係合するフック部材を設ける必要があるため、吸収性物品の製造が複雑化するとともにフック部材やループ部材の使用量が増大してしまう。また、重ね止めされた２つのテープ状ファスナのうち後から止着された（すなわち、上側に止着された）テープ状ファスナの位置を調整するために剥離しようとすると、当該テープ状ファスナは、先に止着された（すなわち、下側に止着された）テープ状ファスナの外面のループ部材に強固に止着されているため、先に止着されたテープ状ファスナまで腹側のループファスナから剥離してしまうおそれがある。
【０００８】
本発明は、上記課題に鑑みなされたものであり、重ね止めされた２つの止着テープのうち上側に止着された止着テープを剥離する際に、下側に止着された止着テープが剥離してしまうことを防止することを目的としている。
【課題を解決するための手段】
【０００９】
請求項１に記載の発明は、使い捨ておむつであって、前方部、股下部および後方部を長手方向に順に有する略シート状の本体部と、前記後方部の両側部に取り付けられ、前記前方部の外面に止着されることにより、前記両側部を前記前方部の両側部に接続する一対の接続部とを備え、前記一対の接続部のそれぞれが、前記長手方向に配列されて左右方向に伸びる２つの止着テープを備え、前記２つの止着テープのそれぞれが、テープ状のテープ基部と、前記テープ基部の内面に、前記テープ基部の先端から前記本体部に向かって互いに離間して順に設けられた第１止着部、第２止着部および第３止着部とを備え、前記第１止着部の前記左右方向の幅と前記第３止着部の前記左右方向の幅とが等しく、前記第１止着部と前記第２止着部との間の領域である第１中間領域の前記左右方向の幅と前記第２止着部と前記第３止着部との間の領域である第２中間領域の前記左右方向の幅とが等しく、前記第２止着部の前記前方部の前記外面に対する止着力が、前記第１止着部および前記第３止着部の前記前方部の前記外面に対する止着力よりも小さい。
【００１０】
請求項２に記載の発明は、請求項１に記載の使い捨ておむつであって、前記第２止着部の面積が、前記第１止着部および前記第３止着部の面積よりも小さい。
【００１１】
請求項３に記載の発明は、請求項１または２に記載の使い捨ておむつであって、前記第２止着部の前記前方部の前記外面に対する単位面積当たりの止着力が、前記第１止着部および前記第３止着部の前記前方部の前記外面に対する単位面積当たりの止着力よりも小さい。
【００１２】
請求項４に記載の発明は、請求項１ないし３のいずれかに記載の使い捨ておむつであって、前記第２止着部の前記左右方向の両側のエッジ近傍の部位が前記テープ基部に対して熱圧着されることにより、前記エッジ近傍の部位の前記前方部の前記外面に対する単位面積当たりの止着力が、前記エッジ近傍の部位以外の部位の前記前方部の前記外面に対する単位面積当たりの止着力よりも小さい。
【発明の効果】
【００１３】
本発明では、重ね止めされた２つの止着テープのうち上側に止着された止着テープを剥離する際に、下側に止着された止着テープが剥離してしまうことを防止することができる。
【図面の簡単な説明】
【００１４】
【図１】使い捨ておむつの平面図である。
【図２】使い捨ておむつの断面図である。
【図３】使い捨ておむつの斜視図である。
【図４】接続部近傍の平面図である。
【図５】使い捨ておむつの斜視図である。
【図６】接続部近傍の図である。
【図７】他の使い捨ておむつの接続部近傍の平面図である。
【図８】他の使い捨ておむつの接続部近傍の平面図である。
【図９】他の使い捨ておむつの接続部近傍の平面図である。
【発明を実施するための形態】
【００１５】
図１は、本発明の一の実施の形態に係る使い捨ておむつ１を広げた状態にて示す平面図である。使い捨ておむつ１は、着用者の腹側に当接する部位と背側に当接する部位とを、左右両側の接続部４により腰周りで止着して着用するテープタイプの使い捨ておむつであり、着用者からの排泄物を受ける。図１では、着用時に着用者に接する側（すなわち、着用者側）の面を手前にして使い捨ておむつ１を描いている。
【００１６】
図２は、使い捨ておむつ１を図１中に示すＡ−Ａの位置で長手方向（すなわち、図１中における上下方向）に垂直な面で切断した断面図である。図１および図２に示すように、使い捨ておむつ１は、略シート状の本体部２、および、本体部２の両側部（すなわち、長手方向に垂直な左右方向の両側）上に配置されて本体部２の長手方向のおよそ全長に亘る一対のサイドシート３を備える。
【００１７】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。使い捨ておむつ１では、本体部２が前方部２０１、股下部２０２および後方部２０３を長手方向に順に有し、前方部２０１および後方部２０３の幅が、股下部２０２の幅よりも大きい。換言すれば、本体部２は、いわゆる砂時計型である。
【００１８】
使い捨ておむつ１は、後方部２０３の両側部に取り付けられた一対の接続部４をさらに備える。使い捨ておむつ１が着用者に装着される際には、本体部２の前方部２０１および後方部２０３をそれぞれ着用者の腹側および背側に当接させた状態で、一対の接続部４が、図３に示すように、前方部２０１の外面（すなわち、着用者に接する面とは反対側の面）の被止着部２６に止着されることにより、後方部２０３の両側部が前方部２０１の両側部に接続される。
【００１９】
図１および図２に示すように、本体部２は、透液性のトップシート２１、撥水性または不透液性のバックシート２３、および、トップシート２１とバックシート２３との間に配置された吸収コア２２を備える。図２では、図示の都合上、使い捨ておむつ１の各構成を厚さ方向に離して描いている。また、図１では、図の理解を容易にするために、吸収コア２２の輪郭を太破線にて描いている。図１に示すように、前方部２０１および後方部２０３における吸収コア２２の幅は、股下部２０２における吸収コア２２の幅よりも大きい。換言すれば、吸収コア２２は、いわゆる砂時計型である。
【００２０】
図３に示す被止着部２６は、バックシート２３の外面（すなわち、吸収コア２２と対向する面とは反対側の面）上に、平面視において吸収コア２２（図１および図２参照）と重なるように接合される。被止着部２６は、バックシート２３上にホットメルト接着剤等により接合される面ファスナのループ部材であり、樹脂等により形成されたベースシート、および、ベースシートのバックシート２３に接合される面とは反対側の面に設けられる微細ループ構造を有する。微細ループ構造とは、多数の微細なループ要素の集合を意味する。
【００２１】
図２に示すように、トップシート２１は、吸収コア２２の周りにおいてホットメルト接着剤を介してバックシート２３に接合される。また、サイドシート３の左右方向の外側の部位は、バックシート２３のトップシート２１から露出する部位、および、トップシート２１の左右方向のエッジ近傍の部位に、長手方向の全長に亘ってホットメルト接着剤を介して接合される。サイドシート３は、サイドシート本体３１、および、サイドシート本体３１の左右方向の内縁部である自由端にホットメルト接着剤により接合されて長手方向に伸びる弾性部材３２ａを備える。
【００２２】
図１に示す本体部２の長手方向の両端部では、各サイドシート３の左右方向の内側の部位（すなわち、本体部２の左右方向の中心軸側の部位）が、トップシート２１の着用者側の面にホットメルト接着剤を介して接合される。また、本体部２の股下部２０２では、サイドシート３の左右方向の外縁近傍の部位において、長手方向に伸びる２本の弾性部材３２ｂが、サイドシート３とバックシート２３とに挟まれてホットメルト接着剤により接合されている。これらのホットメルト接着剤としては、ポリオレフィン系、ゴム系、酢酸ビニル系等のものが利用される。なお、トップシート２１とバックシート２３との接合やサイドシート３とトップシート２１との接合は、熱融着接合や超音波接合等により行われてもよい。
【００２３】
図１および図２に示す各サイドシート３では、サイドシート本体３１の長手方向の両端部の間（すなわち、長手方向の中央部）における内側の部位３１３が、トップシート２１（および他の構成）とは非接合とされており、弾性部材３２ａが収縮することにより、当該部位３１３が、図２に示すように、着用者に向かって立ち上がり、着用者の脚の付け根近傍に当接する側壁部（いわゆる、立体ギャザー）となる。また、弾性部材３２ｂが収縮することにより、サイドシート３およびバックシート２３が着用者側かつ内側に向かって立ち上がってレッグギャザーが形成され、使い捨ておむつ１の着用時に着用者の足の付け根近傍に密着する。
【００２４】
図１に示すように、本体部２の長手方向の両端部にはそれぞれ、トップシート２１とバックシート２３とに挟まれるとともに左右方向に伸びる３本の弾性部材２５が設けられる。使い捨ておむつ１では、伸張状態にてトップシート２１およびバックシート２３に接合された弾性部材２５が収縮することによりウエストギャザーが形成され、使い捨ておむつ１の着用時に本体部２が着用者の腰周りに密着する。使い捨ておむつ１では、弾性部材３２ａ，３２ｂ、並びに、弾性部材２５により本体部２が着用者に密着することにより、脚周りおよび腰周りからの尿等の漏出が防止される。
【００２５】
トップシート２１は、透液性のシート材料であり、着用者からの排泄物の水分を速やかに捕捉して吸収コア２２へと移動させる。トップシート２１は、例えば、表面を界面活性剤により親水処理した疎水性繊維（例えば、ポリプロピレン、ポリエチレン、ポリエステル、ポリアミド、ナイロン）にて形成された透液性の不織布であり、当該不織布として、例えば、ポイントボンド不織布やエアスルー不織布、スパンレース不織布、スパンボンド不織布が利用される。なお、トップシート２１として、セルロースやレーヨン、コットン等の親水性繊維により形成された不織布が利用されてもよい。
【００２６】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００２７】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００２８】
サイドシート本体３１としては、疎水性繊維にて形成された撥水性または不透液性の不織布（例えば、スパンボンド不織布やメルトブロー不織布、ＳＭＳ不織布）が利用される。弾性部材３２ａ，３２ｂ，２５としては、例えば、ポリウレタン糸、帯状のポリウレタンフィルム、糸状または帯状の天然ゴム等が利用され、本実施の形態では、ポリウレタン糸が各弾性部材として利用される。
【００２９】
図４は、一対の接続部４のうち一方の接続部４近傍を拡大して示す平面図であり、他方の接続部４の構造も図４に示すものと同様である。一対の接続部４はそれぞれ、本体部２の長手方向（すなわち、図１および図４中の上下方向であり、以下、「本体長手方向」ともいう。）に配列されて左右方向に伸びる２つの止着テープ４１、および、２つの止着テープ４１の左右方向の内側（すなわち、本体部２側）に位置する略矩形の共通基部４２を備える。２つの止着テープ４１の構造および形状は同様であり、各止着テープ４１の左右方向の長さは、共通基部４２の本体部２から露出している部位の左右方向の長さよりも長い。
【００３０】
各接続部４では、２つの止着テープ４１のそれぞれが、左右方向に伸びるテープ状のテープ基部４４、並びに、テープ基部４４の一方の主面４４１（すなわち、図４中における手前側の面）上に設けられる第１止着部４１１、第２止着部４１２および第３止着部４１３を備える。図４では、図の理解を容易にするために、第１止着部４１１、第２止着部４１２および第３止着部４１３に平行斜線を付す（図７ないし図９においても同様）。テープ基部４４の主面４４１は、使い捨ておむつ１を着用者に装着する際に本体部２の前方部２０１（図３参照）に対向して着用者側を向く面であり、以下、「内面４４１」という。
【００３１】
２つの止着テープ４１のテープ基部４４、および、共通基部４２は不織布等により形成された１つの接続部シート４０の一部であり、２つのテープ基部４４はそれぞれ、共通基部４２から左右方向の外側（すなわち、本体部２とは反対側）に向かって突出する。また、共通基部４２の内端部（接続部シート４０の内端部でもある。）は、本体部２の後方部２０３においてサイドシート３とバックシート２３との間に挟まれて接合され、共通基部４２の内端部以外の部位は、本体部２から左右方向の外側に向かって突出する。
【００３２】
換言すれば、２つのテープ基部４４は、本体部２側にて連続する１つの接続部シート４０の一部であり、接続部シート４０における２つのテープ基部４４の接続部分である共通基部４２は、本体部２の側方のエッジから側方へとはみ出している。なお、トップシート２１（図２参照）の外縁がバックシート２３の外縁に比較的近い位置に位置している場合には、共通基部４２の内端部は、トップシート２１とバックシート２３との間に接合されてもよい。
【００３３】
各テープ基部４４の内面４４１では、第１止着部４１１、第２止着部４１２および第３止着部４１３が、テープ基部４４の先端４４２から本体部２に向かって（すなわち、共通基部４２に向かって）互いに離間して順に設けられる。第１止着部４１１、第２止着部４１２および第３止着部４１３はそれぞれ、本体部２の前方部２０１の外面に設けられた被止着部２６（図３参照）に対して止着可能な面ファスナのフック部材であり、テープ基部４４の内面４４１上にホットメルト接着剤等により接合される。
【００３４】
第１止着部４１１、第２止着部４１２および第３止着部４１３はそれぞれ、樹脂等により形成されたベースシート、および、ベースシートのテープ基部４４に接合される面とは反対側の面に設けられる微細フック構造を有する。第１止着部４１１、第２止着部４１２および第３止着部４１３にそれぞれ設けられた微細フック構造は、多数の微細なフック要素の集合であり、被止着部２６の微細ループ構造と互いに係合する（すなわち、被止着部２６に対して止着可能である。）。本実施の形態では、第１止着部４１１、第２止着部４１２および第３止着部４１３は同一種類のフック部材であり、それぞれの被止着部２６に対する単位面積当たりの止着強度は互いに等しい。
【００３５】
各接続部４では、２つの止着テープ４１のそれぞれの幅（すなわち、図４中の上下方向である本体長手方向におけるテープ基部４４の長さ）が、テープ基部４４の先端４４２である左右方向の外側の端部に向かうに従って漸次減少する。各止着テープ４１では、第１止着部４１１、第２止着部４１２および第３止着部４１３はそれぞれ、テープ基部４４の幅方向（本体長手方向に一致する方向であり、以下、「テープ幅方向」という。）の全体に亘って（すなわち、テープ基部４４の内面４４１を横断するように）テープ基部４４の内面４４１上に設けられる。
【００３６】
第３止着部４１３は、共通基部４２の外エッジ４２１よりも左右方向の外側に位置し、共通基部４２から離間している。以下、テープ基部４４における第３止着部４１３の本体部２側のエッジである内エッジ４１３２と共通基部４２の外エッジ４２１との間の部位を「内側領域４４７」という。また、テープ基部４４における第１止着部４１１の外エッジ４１１１よりも外側（すなわち、先端４４２側）の部位を「外側領域４４８」という。内側領域４４７および外側領域４４８、並びに、第１止着部４１１と第２止着部４１２との間の領域である第１中間領域４４５、および、第２止着部４１２と第３止着部４１３との間の領域である第２中間領域４４６には、上述のフック部材は設けられない。
【００３７】
各止着テープ４１では、第１中間領域４４５の左右方向（図４中における左右方向に一致する。）の幅は、第２中間領域４４６の左右方向の幅に等しく、第１止着部４１１の左右方向の幅は、第３止着部４１３の左右方向の幅に等しい。上述のように、テープ基部４４のテープ幅方向の幅は、テープ基部４４の先端４４２に向かうに従って漸次減少するため、第１止着部４１１の面積は第３止着部４１３の面積よりも小さい。本実施の形態では、第２止着部４１２の左右方向の幅は、第１止着部４１１および第３止着部４１３のそれぞれの左右方向の幅よりも小さく、第２止着部４１２の面積は、第１止着部４１１および第３止着部４１３のそれぞれの面積よりも小さい。したがって、第２止着部４１２の被止着部２６に対する止着力（すなわち、本体部２の前方部２０１の外面に対する止着力）は、第１止着部４１１および第３止着部４１３のそれぞれの被止着部２６に対する止着力よりも小さい。
【００３８】
各止着テープ４１では、第１止着部４１１の外エッジ４１１１と第３止着部４１３の内エッジ４１３２との間の左右方向の距離Ｌ１は、第２止着部４１２の左右方向の中央におけるテープ基部４４のテープ幅方向の幅Ｗ１よりも大きい。第１止着部４１１の内エッジ４１１２と第３止着部４１３の外エッジ４１３１との間の左右方向の距離Ｌ２は、テープ基部４４の幅Ｗ１の２５％以上であることが好ましく、より好ましくは幅Ｗ１以上である。また、距離Ｌ２は、第１止着部４１１および第３止着部４１３のそれぞれの左右方向の幅よりも大きい。
【００３９】
上述のように、各接続部４における２つの止着テープ４１の構造および形状は同様であるため、左右一対の止着テープ４１における距離Ｌ１は他の左右一対の止着テープ４１における幅Ｗ１よりも大きく、好ましくは、一対の止着テープ４１における距離Ｌ２は他の一対の止着テープ４１における幅Ｗ１の２５％以上（より好ましくは、幅Ｗ１以上）である。本実施の形態では、各止着テープ４１における距離Ｌ２はそれぞれ幅Ｗ１に等しい。
【００４０】
各接続部４では、接続部シート４０が白色の樹脂材料により形成されており、第１止着部４１１、第２止着部４１２および第３止着部４１３が白色以外の有色の樹脂材料により形成されている。このため、２つの止着テープ４１のそれぞれにおいて、テープ基部４４の内面４４１における第１止着部４１１、第２止着部４１２および第３止着部４１３の視認が容易になるとともに、テープ基部４４の外面からテープ基部４４を透かして第１止着部４１１、第２止着部４１２および第３止着部４１３の位置が視認可能となっている。
【００４１】
使い捨ておむつ１では、各止着テープ４１に３つの止着部（第１止着部４１１、第２止着部４１２および第３止着部４１３）が設けられることにより、止着テープ４１の被止着部２６に対する十分な止着力を確保することができる。また、第１止着部４１１、第２止着部４１２および第３止着部４１３が左右方向に離間して配列されるため、被止着部２６に止着された止着テープ４１が着用者の動作に追従して容易に変形する。その結果、止着テープ４１が着用者の動作等により被止着部２６から剥離してしまうことが抑制される。
【００４２】
使い捨ておむつ１が着用者の体型に対して大きい等の場合には（例えば、通常の着用者よりも痩せている着用者に対して使い捨ておむつ１が装着される際には）、各接続部４において、本体長手方向に配列された２つの止着テープ４１のうち一方の止着テープ４１が被止着部２６に止着された後、他方の止着テープ４１が一方の止着テープ４１を跨ぐように被止着部２６に止着される。本実施の形態では、各接続部４において、図５中の上側に位置する止着テープ（以下、「第１止着テープ４１ａ」という。）が、先端を斜め下に向けて被止着部２６に止着され、図５中の下側に位置する止着テープ（以下、「第２止着テープ４１ｂ」という。）が、先端を斜め上に向けて第１止着テープ４１ａ上に重なった状態で被止着部２６に止着される。これにより、本体部２の長手方向の両端部において前方部２０１および後方部２０３が着用者の腰周りにフィットするとともに、本体部の両側端部が着用者の両脚の付け根近傍にフィットする。
【００４３】
図６は、一対の接続部４のうち一方の接続部４近傍を拡大して示す図である。図６に示すように、被止着部２６上では、第１止着テープ４１ａと第１止着テープ４１ａの上に重なる第２止着テープ４１ｂとがおよそ垂直に交差する。すなわち、第１止着テープ４１ａの左右方向に伸びる中心線４１９ａと第２止着テープ４１ｂの左右方向に伸びる中心線４１９ｂとの為す角度θがおよそ９０°となるように第１止着テープ４１ａと第２止着テープ４１ｂとが交差する。第２止着テープ４１ｂの第１止着部４１１および第３止着部４１３は、第１止着テープ４１ａのテープ幅方向の両側において（すなわち、第１止着テープ４１ａを跨いで）被止着部２６に止着され、第２止着テープ４１ｂの第２止着部４１２は、第１止着テープ４１ａの第１止着部４１１と第３止着部４１３との間において第１止着テープ４１ａの外面に重なる。当該第２止着部４１２の第１止着テープ４１ａの外面に対する止着力は、第２止着部４１２が被止着部２６に止着される場合の止着力よりも小さい。図６では、図の理解を容易にするために、第２止着テープ４１ｂの第１止着部４１１、第２止着部４１２および第３止着部４１３に平行斜線を付す。
【００４４】
使い捨ておむつ１では、使い捨ておむつ１を装着する際の取り扱いを容易にするために、あるいは、使い捨ておむつ１の製造を容易にするために、第１止着テープ４１ａおよび第２止着テープ４１ｂの長さがある程度の大きさ以下に制限され、その結果、各止着テープにおける第１止着部４１１の外エッジ４１１１と第３止着部４１３の内エッジ４１３２との間の距離Ｌ１（図４参照）にも上限が設けられる。接続部４では、止着テープの重ね止めの際に第１止着テープ４１ａの上に重なる第２止着テープ４１ｂにおいて、第１止着部４１１と第３止着部４１３との間にフック部材が接合されない第１中間領域４４５および第２中間領域４４６を設けることにより、止着部（すなわち、第１止着部４１１、第２止着部４１２および第３止着部４１３）の合計面積を小さくすることができる。これにより、使い捨ておむつ１の製造コストを低減することができる。
【００４５】
また、第２止着テープ４１ｂの第１止着部４１１の外エッジ４１１１と第３止着部４１３の内エッジ４１３２との間の距離Ｌ１を、第１止着テープ４１ａの第２止着部４１２の左右方向の中央におけるテープ基部４４の幅Ｗ１（図４参照）よりも大きくすることにより、第１止着テープ４１ａと第２止着テープ４１ｂとの重ね止めの際に、第２止着テープ４１ｂの第１止着部４１１および第３止着部４１３のそれぞれの少なくとも一部を、第１止着テープ４１ａに重ねることなく被止着部２６に容易に止着することができる。その結果、使い捨ておむつ１を着用者に対してフィットさせることができる。
【００４６】
使い捨ておむつ１では、第１止着テープ４１ａにおいても、第２止着テープ４１ｂと同様に、第１止着部４１１と第３止着部４１３との間にフック部材が接合されない第１中間領域４４５および第２中間領域４４６（図４参照）を設けることにより、止着部の合計面積を小さくすることができる。また、使い捨ておむつ１を着用者に装着する際に、第２止着テープ４１ｂを被止着部２６に止着した後に第１止着テープ４１ａを第２止着テープ４１ｂ上に重ねて被止着部２６に止着する場合においても、第１止着テープ４１ａの第１止着部４１１および第３止着部４１３の少なくとも一部が、第２止着テープ４１ｂに重なることなく被止着部２６に容易に止着される。
【００４７】
使い捨ておむつ１では、図４に示すように、各止着テープ４１において、第１止着部４１１の外エッジ４１１１の上端と第３止着部４１３の内エッジ４１３２の下端との間の距離が、好ましくは上述のテープ基部４４の幅Ｗ１以上である。これにより、止着テープ４１の重ね止めの際に、上に重なる止着テープ４１の第１止着部４１１および第３止着部４１３のそれぞれの少なくとも一部を、前方部２０１の被止着部２６により容易に止着することができる。
【００４８】
接続部４では、第２止着テープ４１ｂにおける距離Ｌ２（図４参照）が、第１止着テープ４１ａにおけるテープ基部４４の幅Ｗ１以上であることにより、第２止着テープ４１ｂを第１止着テープ４１ａ上に重ねて被止着部２６に止着する際に、第２止着テープ４１ｂの第１止着部４１１および第３止着部４１３と第１止着テープ４１ａとの重なりを抑制して止着部の合計面積をより小さくすることができる。また、第１止着テープ４１ａにおける距離Ｌ２が、第２止着テープ４１ｂにおける幅Ｗ１以上であることにより、第１止着テープ４１ａを第２止着テープ４１ｂ上に重ねて被止着部２６に止着する際に、第１止着テープ４１ａの第１止着部４１１および第３止着部４１３と第２止着テープ４１ｂとの重なりを抑制して止着部の合計面積をより小さくすることができる。
【００４９】
使い捨ておむつ１では、各止着テープ４１において、第１止着部４１１の内エッジ４１１２の上端と第３止着部４１３の外エッジ４１３１の下端との間の距離が、好ましくはテープ基部４４の幅Ｗ１以上である。これにより、止着テープ４１の重ね止めの際に、上に重なる止着テープ４１の止着に利用されない可能性が高い部位に止着部が設けられることを抑制して止着部の合計面積をより小さくすることができる。
【００５０】
接続部４における止着テープの重ね止めの際には、第１止着テープ４１ａの中心線４１９ａと第２止着テープ４１ｂの中心線４１９ｂとの為す角度θは必ずしもおよそ９０°には限定されず、例えば、角度θ（すなわち、中心線４１９ａと中心線４１９ｂとの交点から第１止着テープ４１ａおよび第２止着テープ４１ｂの先端にそれぞれ向かう中心線４１９ａ，４１９ｂが為す角度）が３０°以上９０°以下となるように、第１止着テープ４１ａと第２止着テープ４１ｂとが重ねられてもよい。
【００５１】
接続部４では、第１止着テープ４１ａおよび第２止着テープ４１ｂのそれぞれの幅が、テープ基部４４の先端に向かうに従って漸次減少する。このため、止着テープの重ね止めの際に、後から止着される止着テープ（すなわち、他方の止着テープ上に重ねて被止着部２６に止着される止着テープ）の第１止着部４１１を、先に止着された止着テープを避けて被止着部２６に容易に止着することができる。その結果、後から被止着部２６に止着される止着テープの先端部を被止着部２６に強固に止着することができる。
【００５２】
接続部４では、第１止着テープ４１ａおよび第２止着テープ４１ｂの２つのテープ基部４４が本体部２側にて連続する１つの接続部シート４０の一部であり、第１止着テープ４１ａおよび第２止着テープ４１ｂの第３止着部４１３が、接続部シート４０の共通基部４２よりも左右方向の外側に位置する。このため、第１止着テープ４１ａおよび第２止着テープ４１ｂの根本部分の剛性（すなわち、内側領域４４７における剛性）が過剰に大きくなることが防止され、第１止着テープ４１ａおよび第２止着テープ４１ｂを根本部分にて容易に変形することができる。その結果、第１止着テープ４１ａと第２止着テープ４１ｂとの重ね止めを容易に行うことができる。また、共通基部４２が本体部２の側方エッジから側方へとはみ出しているため、共通基部４２を変形させて第１止着テープ４１ａと第２止着テープ４１ｂとを容易に近づけることができる。その結果、第１止着テープ４１ａと第２止着テープ４１ｂとの重ね止めをより容易に行うことができる。
【００５３】
さらに、第１止着テープ４１ａおよび第２止着テープ４１ｂにおいて、第１止着部４１１、第２止着部４１２および第３止着部４１３の位置がテープ基部４４の外面から視認可能であることにより、第１止着テープ４１ａと第２止着テープ４１ｂとの重ね止めの際に、２つの止着テープの第１止着部４１１と第３止着部４１３との間の領域の重複面積を容易に大きくすることができる。換言すれば、後から被止着部２６に止着される止着テープの第１止着部４１１および第３止着部４１３が、先に止着された止着テープと広い範囲に亘って重なってしまうことを防止することができる。その結果、後から被止着部２６に止着される止着テープを被止着部２６に強固に止着することができる。
【００５４】
ところで、２つの止着テープを重ね止めする際には、後から止着される止着テープの止着部が、先に被止着部に止着された止着テープの外面に止着されるため、後から止着された止着テープの位置を調整するために被止着部から剥離しようとすると、先に止着された止着テープが後から止着された止着テープに引っ張られて被止着部から剥離してしまうおそれがある。
【００５５】
これに対し、本実施の形態に係る使い捨ておむつ１では、上述のように第２止着部４１２の被止着部２６に対する止着力は、第１止着部４１１および第３止着部４１３のそれぞれの被止着部２６に対する止着力よりも小さく、第２止着部４１２の止着テープの外面に対する止着力は、第２止着部４１２の被止着部２６に対する止着力よりも小さい。したがって、第２止着テープ４１ｂの第２止着部４１２が第１止着テープ４１ａの外面に止着される際の止着力は、第１止着テープ４１ａの第１止着部４１１、第２止着部４１２および第３止着部４１３が被止着部２６に止着される際のそれぞれの止着力よりも小さい。このため、重ね止めされた第１止着テープ４１ａおよび第２止着テープ４１ｂのうち、後から上側に止着された第２止着テープ４１ｂを被止着部２６から剥離する際に、先に下側に止着された第１止着テープ４１ａが被止着部２６から剥離してしまうことを防止することができる。
【００５６】
このように、上側に止着された止着テープ４１の剥離時に下側に止着された止着テープ４１の意図しない剥離を防止することができる使い捨ておむつ１の構造は、止着テープ４１の第２止着部４１２が比較的大きい止着力にて他の止着テープ４１の外面に止着される使い捨ておむつに特に適している。例えば、止着テープ４１のテープ基部４４が嵩高の不織布により形成されている使い捨ておむつや、不織布製のテープ基部４４の外面に起毛処理が施された使い捨ておむつ、あるいは、不織布製のテープ基部４４の外面にエンボス処理による凹凸が形成された使い捨ておむつに、上記使い捨ておむつ１の構造が適用されることが好ましい。
【００５７】
使い捨ておむつ１では、第２止着部４１２の面積を第１止着部４１１および第３止着部４１３のそれぞれの面積よりも小さくすることにより、被止着部２６に対する第２止着部４１２の止着力を第１止着部４１１および第３止着部４１３のそれぞれの止着力よりも容易に小さくすることができる。また、第１止着部４１１、第２止着部４１２および第３止着部４１３が同一種類のフック部材であることにより、接続部４の製造を簡素化することができる。
【００５８】
次に、本発明に係る使い捨ておむつの他の好ましい例について説明する。図７は、他の使い捨ておむつの一方の接続部４ａ近傍を拡大して示す平面図である。接続部４ａの各止着テープ４１では、第１止着部４１１、第２止着部４１２および第３止着部４１３の左右方向の幅が互いに等しく、第１止着部４１１および第３止着部４１３はテープ基部４４の内面４４１を横断するように配置される。また、第２止着部４１２のテープ幅方向の長さは、テープ基部４４の第２止着部４１２が設けられる部位の幅よりも短く、第１止着部４１１および第３止着部４１３のテープ幅方向の長さよりも短い。
【００５９】
第１止着部４１１、第２止着部４１２および第３止着部４１３は同一種類のフック部材であり、第２止着部４１２の面積は、第１止着部４１１および第３止着部４１３のそれぞれの面積よりも小さい。したがって、第２止着部４１２の被止着部２６（図３参照）に対する止着力は、第１止着部４１１および第３止着部４１３のそれぞれの被止着部２６に対する止着力よりも小さく、止着テープ４１の外面に対する第２止着部４１２の止着力は、第１止着部４１１、第２止着部４１２および第３止着部４１３のそれぞれの被止着部２６に対する止着力よりも小さい。
【００６０】
これにより、図１に示す使い捨ておむつ１と同様に、２つの止着テープ４１を重ね止めしない場合に被止着部２６に対する十分な止着力を確保するとともに、２つの止着テープ４１を重ね止めした場合、上側に止着された止着テープ４１を被止着部２６から剥離する際に、下側に止着された止着テープ４１が被止着部２６から剥離してしまうことを防止することができる。
【００６１】
図８は、さらに他の使い捨ておむつの一方の接続部４ｂ近傍を拡大して示す平面図である。接続部４ｂでは、各止着テープ４１において、テープ基部４４の内面４４１を横断するように配置される第１止着部４１１、第２止着部４１２および第３止着部４１３の左右方向の幅が互いに等しい。このため、第２止着部４１２の面積は、第１止着部４１１の面積よりも大きく、第３止着部４１３の面積よりも小さい。各止着テープ４１では、第２止着部４１２として、第１止着部４１１および第３止着部４１３とは異なる種類のフック部材が利用されており、第２止着部４１２の被止着部２６に対する（すなわち、前方部２０１の外面に対する）単位面積当たりの止着力は、第１止着部４１１および第３止着部４１３のそれぞれの被止着部２６に対する単位面積当たりの止着力よりも小さい。図８では、第２止着部４１２に破線にて平行斜線を付す。第２止着部４１２の被止着部２６に対する止着力（すなわち、第２止着部４１２全体としての止着力）は、第１止着部４１１および第３止着部４１３のそれぞれの被止着部２６に対する止着力よりも小さく、止着テープ４１の外面に対する第２止着部４１２の止着力は、第１止着部４１１、第２止着部４１２および第３止着部４１３のそれぞれの被止着部２６に対する止着力よりも小さい。
【００６２】
これにより、図１に示す使い捨ておむつ１と同様に、２つの止着テープ４１を重ね止めしない場合に被止着部２６に対する十分な止着力を確保するとともに、２つの止着テープ４１を重ね止めした場合、上側に止着された止着テープ４１を被止着部２６から剥離する際に、下側に止着された止着テープ４１が被止着部２６から剥離してしまうことを防止することができる。また、第２止着部４１２の被止着部２６に対する単位面積当たりの止着力を、第１止着部４１１および第３止着部４１３のそれぞれの被止着部２６に対する単位面積当たりの止着力よりも小さくすることにより、第２止着部４１２の面積が第１止着部４１１の面積以上である場合であっても、第２止着部４１２の被止着部２６に対する止着力を第１止着部４１１の被止着部２６に対する止着力に比べて容易に小さくすることができる。
【００６３】
図９は、さらに他の使い捨ておむつの一方の接続部４ｃ近傍を拡大して示す平面図である。接続部４ｃでは、各止着テープ４１において、同一種類のフック部材である第１止着部４１１、第２止着部４１２および第３止着部４１３が、テープ基部４４の内面４４１を横断するように配置され、第１止着部４１１、第２止着部４１２および第３止着部４１３の左右方向の幅は互いに等しい。このため、第２止着部４１２の面積は、第１止着部４１１の面積よりも大きく、第３止着部４１３の面積よりも小さい。
【００６４】
各止着テープ４１では、第２止着部４１２の左右方向の両側のエッジ近傍の部位（すなわち、外エッジ４１２１および内エッジ４１２２近傍の部位であり、以下、「側縁部４１２３」という。）が、テープ基部４４に対して熱圧着されている。図９では、第２止着部４１２の側縁部４１２３に他の部位と異なる平行斜線を付す。第２止着部４１２の側縁部４１２３では、フック部材の微細フック構造が熱圧着により変形するため、側縁部４１２３の被止着部２６に対する単位面積当たりの止着力が、第２止着部４１２の側縁部４１２３以外の部位の被止着部２６に対する単位面積当たりの止着力よりも小さい。また、側縁部４１２３の止着テープ４１の外面に対する単位面積当たりの止着力も、第２止着部４１２の側縁部４１２３以外の部位における止着テープ４１の外面に対する単位面積当たりの止着力よりも小さい。
【００６５】
止着テープ４１では、第２止着部４１２の被止着部２６に対する止着力（すなわち、第２止着部４１２全体としての止着力）が、第１止着部４１１および第３止着部４１３のそれぞれの被止着部２６に対する止着力よりも小さく、止着テープ４１の外面に対する第２止着部４１２の止着力は、第１止着部４１１、第２止着部４１２および第３止着部４１３のそれぞれの被止着部２６に対する止着力よりも小さい。これにより、図１に示す使い捨ておむつ１と同様に、２つの止着テープ４１を重ね止めしない場合に被止着部２６に対する十分な止着力を確保するとともに、２つの止着テープ４１を重ね止めした場合、上側に止着された止着テープ４１を被止着部２６から剥離する際に、下側に止着された止着テープ４１が被止着部２６から剥離してしまうことを防止することができる。
【００６６】
また、第２止着部４１２の側縁部４１２３を熱圧着することにより、第２止着部４１２の面積が第１止着部４１１の面積以上である場合であっても、第２止着部４１２の被止着部２６に対する止着力を第１止着部４１１の被止着部２６に対する止着力に比べて容易に小さくすることができる。さらに、熱圧着により側縁部４１２３がテープ基部４４に強固に接合されるため、第２止着部４１２がテープ基部４４から剥離してしまうことが防止される。
【００６７】
接続部４ｃでは、第１止着部４１１および第３止着部４１３の左右方向の両側のエッジ近傍の部位も、第２止着部４１２の側縁部４１２３と同様に、テープ基部４４に対して熱圧着されてもよい。これにより、第１止着部４１１および第３止着部４１３がテープ基部４４から剥離してしまうことが防止される。この場合、第２止着部４１２の側縁部４１２３（すなわち、熱圧着される部位）の左右方向の幅を、第１止着部４１１および第３止着部４１３のそれぞれの熱圧着される部位の左右方向の幅よりも大きくすることにより、第２止着部４１２の被止着部２６に対する止着力が、第１止着部４１１および第３止着部４１３のそれぞれの被止着部２６に対する止着力よりも小さくなる。
【００６８】
以上、本発明の実施の形態について説明してきたが、本発明は上記実施の形態に限定されるものではなく、様々な変更が可能である。
【００６９】
例えば、前方部２０１の外面から被止着部２６が省略され、各止着テープ４１の第１止着部４１１、第２止着部４１２および第３止着部４１３が前方部２０１の不織布に直接止着されてもよい。
【００７０】
使い捨ておむつでは、テープ基部４４の内面４４１に微細フック構造が直接形成されて第１止着部４１１、第２止着部４１２および第３止着部４１３とされてもよく、本体部２では、前方部２０１の外面に微細ループ構造が直接形成されて被止着部２６とされてもよい。
【００７１】
使い捨ておむつでは、各止着テープ４１の第１止着部４１１、第２止着部４１２および第３止着部４１３に必ずしも微細フック構造が形成される必要はなく、例えば、第１止着部４１１、第２止着部４１２および第３止着部４１３が、不織布製のテープ基部４４上に粘着材料により形成された粘着層であり、被止着部２６が当該粘着層が粘着可能なプラスチックフィルムであってもよい。
【００７２】
各止着テープ４１では、例えば、テープ基部４４の外面に第１止着部４１１、第２止着部４１２および第３止着部４１３の位置を示す目印が印刷されることにより、テープ基部４４の外面から第１止着部４１１、第２止着部４１２および第３止着部４１３の位置が視認可能とされてもよい。
【００７３】
各接続部４では、必ずしも共通基部４２が設けられる必要はなく、２つの止着テープ４１のそれぞれのテープ基部４４の端部が本体部２に直接接合されてもよい。各止着テープ４１の幅は、例えば、テープ基部４４の左右方向のおよそ全長に亘って一定であってもよい。また、第１止着部４１１および第３止着部４１３のテープ幅方向の幅も、テープ基部４４のテープ幅方向の幅よりも小さくてもよい。
【００７４】
上記実施の形態および各変形例における構成は、相互に矛盾しない限り適宜組み合わせられてよい。
【符号の説明】
【００７５】
１    使い捨ておむつ
２    本体部
４，４ａ〜４ｃ    接続部
２６    被止着部
４１    止着テープ
４１ａ    第１止着テープ
４１ｂ    第２止着テープ
４４    テープ基部
２０１    前方部
２０２    股下部
２０３    後方部
４１１    第１止着部
４１２    第２止着部
４１３    第３止着部
４４１    内面
４４２    先端
４４５    第１中間領域
４４６    第２中間領域
４１２３    側縁部
【図１】
0005511587.tif 000002
【図２】
0005511587.tif 000003
【図３】
0005511587.tif 000004
【図４】
0005511587.tif 000005
【図５】
0005511587.tif 000006
【図６】
0005511587.tif 000007
【図７】
0005511587.tif 000008
【図８】
0005511587.tif 000009
【図９】
0005511587.tif 000010